(57)【特許請求の範囲】
【請求項１】
画像信号に対し、ディザ法によりハーフトーン処理を行う画像処理手段と、
前記画像処理手段によりハーフトーン処理された画像信号に対応した静電潜像を感光体上に形成すべく、ビームを出射するレーザ光源と、
前記レーザ光源から出射されたビームを反射し、前記感光体上を露光走査させる回転多面鏡と、を備えたカラー画像形成装置において、
前記感光体の移動速度を変えることでプロセススピードを切り替えるプロセススピード変更手段と、
プロセススピードを１／ｎ倍に変更するときに、回転多面鏡の回転速度を変更せず、前記回転多面鏡における鏡面の使用間隔をプロセススピードが１／ｎ倍になる前の第１間隔から前記第１間隔のｎ倍の第２間隔に変更して前記回転多面鏡に前記ビームを反射させるべく、前記レーザ光源にビームを出射させる制御手段と、を備え、
前記画像処理手段は、前記第１間隔で前記回転多面鏡における鏡面が用いられ前記ビームが反射されるよう前記制御手段により前記レーザ光源からビームが出射される場合に、前記第１間隔で前記回転多面鏡における鏡面が用いられ前記ビームが反射され前記露光走査がなされることに基づく、前記回転多面鏡の使用鏡面数周期で発生する、前記感光体上における走査線の位置ずれに対応した第１ディザパターンを用いてハーフトーン処理を行い、
前記第２間隔で前記回転多面鏡における鏡面が用いられ前記ビームが反射されるよう前記制御手段により前記レーザ光源からビームが出射される場合に、前記第２間隔で前記回転多面鏡における鏡面が用いられ前記ビームが反射され前記露光走査がなされることに基づく、前記回転多面鏡の使用鏡面数周期で発生する、前記感光体上における走査線の位置ずれに対応した第２ディザパターンを用いてハーフトーン処理を行うことを特徴とするカラー画像形成装置。
【請求項２】
請求項１に記載のカラー画像形成装置において、
前記第１間隔及び前記第２間隔の夫々に対応した各色のディザパターンの組み合わせを有し、
前記画像処理手段は、前記回転多面鏡における鏡面の使用間隔が前記第１間隔であるか前記第２間隔であるかに応じて、前記第１ディザパターン及び前記第２ディザパターンの何れかとして、ハーフトーン処理に用いる各色のディザパターンの組み合わせを選択する選択手段を有することを特徴とするカラー画像形成装置。
【請求項３】
請求項２に記載のカラー画像形成装置において、
前記ディザパターンの組み合わせの選択は、前記回転多面鏡における鏡面の使用間隔の変更時における前記感光体上における走査線の搬送方向の位置ずれ周期とディザパターンとの干渉によるモアレが低減できるように算出されたディザパターンの組み合わせであることを特徴とするカラー画像形成装置。
【請求項４】
請求項２に記載のカラー画像形成装置において、
前記ディザパターンの組み合わせの選択は、前記回転多面鏡における鏡面の使用間隔の変更時における前記感光体上における走査線の走査方向の位置ずれ周期とディザパターンとの干渉によるモアレが低減できるように算出されたディザパターンの組み合わせであることを特徴とするカラー画像形成装置。
【請求項５】
請求項２に記載のカラー画像形成装置において、
前記ディザパターンの組み合わせの選択は、ディザパターンの変更による他色ディザとの干渉によるモアレ或いは色むらの発生を低減できるように算出されたディザパターンの組み合わせであることを特徴とするカラー画像形成装置。
【発明の詳細な説明】
【０００１】
【発明の属する技術分野】
本発明は、カラープリンタ，カラー複写機等の、複数の画像形成部を有する電子写真方式のカラー画像形成装置に関し、特にモアレによる画質劣化の防止に関するものである。
【０００２】
【従来の技術】
電子写真方式のカラー画像形成装置においては、転写材の種類によりプロセススピードを変更する画像形成装置がある。このような画像形成装置では、例えば、普通紙では通常速度（１／１速とする）、厚紙では１／２速、ＯＨＴシートでは１／４速というようにプロセススピードが切り替えられる。このプロセススピードを切り替える動作を実現する手段として、光走査装置（以下、スキャナという）には通常、半導体レーザから照射されたビームが高速で回転している回転多面鏡（以下、ポリゴンミラーという）の面で反射されて感光体上を走査する構成になっており、プロセススピードを１／ｎにするのであれば、ｎ回の走査につき１回だけ、画像データに基づいてレーザビームを照射する手法がある。つまり、ポリゴンミラーの面を（ｎ−１）面飛ばしでビームを照射して走査していることになる。
【０００３】
ところで、ポリゴンミラーを有する装置の問題として、ポリゴンミラー面のモータ回転軸に対する傾きがあると、感光体上でのビーム走査線の位置が搬送方向に変動してしまうことが挙げられる（以下、面倒れという）。
【０００４】
この面倒れの様子を図９，図１０に示す。図９で、１は感光体ドラム、２はレーザビーム、３はポリゴンミラー、４はポリゴンミラー軸、５はモータ回転軸、６はポリゴンミラーの傾き角、７は位置ズレのない走査線、８は位置ズレのある走査線である。レーザビーム２の感光体１までの光路には、図示していない、ビームをコリメートするレンズや、走査速度を補正するレンズ、折り返しミラーなどがある。図９のように、ポリゴンミラー軸４がモータ回転軸５に対し傾くと、その傾き角に応じて走査線の位置が搬送方向にずれる。この走査線の位置ズレは、ポリゴンミラー面数に応じた、周期を持っている。例えば、ポリゴンミラー面数が８面の場合、ミラー面に適当に番号を振って、横軸にビームを走査するのに使用するミラー面の番号、縦軸に走査線の搬送方向の位置ズレをとった図１０からわかる通り、ポリゴンが１周して元の走査線に戻るような８面周期の面倒れが発生する。
【０００５】
またここで、プロセススピードを１／２速にすると、ポリゴン面を１面飛ばしでビームを走査するため面倒れの周期は４面周期、プロセススピードを１／４速にすると、ポリゴン面を３面飛ばしでビームを走査するため面倒れの周期は２面周期となり、プロセススピードの変更に応じて、面倒れの周期が変わる。
【０００６】
また、面倒れ周期とハーフトーニング処理で使われているディザパターンとが干渉して新たなパターン（以下、モアレという）が発生する。しかし、一般に、必ずしもモアレの発生が問題となるような重大な画質劣化を引き起こすとは限らない。なぜなら、画質劣化を引き起こすモアレは、その画像周波数が人間の目で目立つ周波数より低い周波数成分を持つ場合であり、人間の目で目立つ周波数より高い周波数成分しか持たないモアレが発生したのであれば、画質は大きくは劣化しない。ただし、画像周波数が０もしくは限りなく０に近い画像周波数成分（以下、画像周波数０とする）のモアレであれば、画像の直流成分であるので目立つことはない。よって、画質劣化を引き起こすモアレは、画像周波数０を除く、人間の目で目立つ画像周波数より低い画像周波数成分を持つことである。この人間の目で目立つ周波数とは、よく文献などに引用されている人間の視覚の解像度に対する応答値を表した図１１等の視覚特性の観点から、例えば、２．５［ｃｙｃｌｅ／ｍｍ］とするものである。
【０００７】
【発明が解決しようとする課題】
しかしながら、前述の従来例では以下のような問題がある。ポリゴンミラーの面飛ばしでプロセススピードを変更する構成では、１／１速から１／２速へプロセススピードを変更した途端、それまで見られなかった面倒れとディザとによる酷い画質劣化を引き起こすモアレが発生するといった場合がある。これは、プロセススピードの変更により面倒れの周期が変わるためで、６００ｄｐｉの解像度としたカラー画像形成装置を例に、画像を周波数変換した図１２，図１３を用いて説明する。ただし、説明を簡単化するため、周波数空間の走査方向を無視して、搬送方向に対する画像周波数の強度をとった１次元の図となっている。
【０００８】
図１２は、１／１速のプロセススピード時の図で、ディザパターンのスペクトル１０の周波数を例えばｆD＝７［ｃｙｃｌｅ／ｍｍ］として、８ライン周期の面倒れのスペクトル１１の周波数はｆJ(1/1)＝２．９５［ｃｙｃｌｅ／ｍｍ］なので、ディザの周波数と面倒れの周波数とが干渉しコンボリューションによってモアレが発生すると考えられていることから、モアレのスペクトル１５の周波数はｆD−ｆJ(1/1)となる。よって、１／１速では、モアレの周波数が人間の目で目立つ周波数２．５［ｃｙｃｌｅ／ｍｍ］に比べ大きいので画質劣化はしない。
【０００９】
図１３は、１／２速のプロセススピード時の図で、４ライン周期の面倒れのスペクトル１２の周波数はｆJ(1/2)＝５．９［ｃｙｃｌｅ／ｍｍ］であるから、この時のモアレ１６の周波数は人間の目で目立つ周波数２．５［ｃｙｃｌｅ／ｍｍ］より小さくなり、画質は大きく劣化する。
【００１０】
このように、プロセススピードを変更した場合、面倒れの周期が変わるため、面倒れとディザパターンとが干渉して発生するモアレの周波数も変わり、著しく画像を劣化するという問題があった。
【００１１】
本発明は、このような状況のもとでなされたもので、モアレによる画質劣化を発生させることなく、プロセススピードを変更できるカラー画像形成装置を提供することを目的とするものである。
【００１２】
【課題を解決するための手段】
前記目的を達成するため、本発明は、カラー画像形成装置を次の（１）ないし（５）のとおりに構成する。
（１）  画像信号に対し、ディザ法によりハーフトーン処理を行う画像処理手段と、
前記画像処理手段によりハーフトーン処理された画像信号に対応した静電潜像を感光体上に形成すべく、ビームを出射するレーザ光源と、
前記レーザ光源から出射されたビームを反射し、前記感光体上を露光走査させる回転多面鏡と、を備えたカラー画像形成装置において、
前記感光体の移動速度を変えることでプロセススピードを切り替えるプロセススピード変更手段と、
プロセススピードを１／ｎ倍に変更するときに、回転多面鏡の回転速度を変更せず、前記回転多面鏡における鏡面の使用間隔をプロセススピードが１／ｎ倍になる前の第１間隔から前記第１間隔のｎ倍の第２間隔に変更して前記回転多面鏡に前記ビームを反射させるべく、前記レーザ光源にビームを出射させる制御手段と、を備え、
前記画像処理手段は、前記第１間隔で前記回転多面鏡における鏡面が用いられ前記ビームが反射されるよう前記制御手段により前記レーザ光源からビームが出射される場合に、前記第１間隔で前記回転多面鏡における鏡面が用いられ前記ビームが反射され前記露光走査がなされることに基づく、前記回転多面鏡の使用鏡面数周期で発生する、前記感光体上における走査線の位置ずれに対応した第１ディザパターンを用いてハーフトーン処理を行い、
前記第２間隔で前記回転多面鏡における鏡面が用いられ前記ビームが反射されるよう前記制御手段により前記レーザ光源からビームが出射される場合に、前記第２間隔で前記回転多面鏡における鏡面が用いられ前記ビームが反射され前記露光走査がなされることに基づく、前記回転多面鏡の使用鏡面数周期で発生する、前記感光体上における走査線の位置ずれに対応した第２ディザパターンを用いてハーフトーン処理を行うカラー画像形成装置。
（２）前記（１）に記載のカラー画像形成装置において、
前記第１間隔及び前記第２間隔の夫々に対応した各色のディザパターンの組み合わせを有し、
前記画像処理手段は、前記回転多面鏡における鏡面の使用間隔が前記第１間隔であるか前記第２間隔であるかに応じて、前記第１ディザパターン及び前記第２ディザパターンの何れかとして、ハーフトーン処理に用いる各色のディザパターンの組み合わせを選択する選択手段を有するカラー画像形成装置。
（３）前記（２）に記載のカラー画像形成装置において、
前記ディザパターンの組み合わせの選択は、前記回転多面鏡における鏡面の使用間隔の変更時における前記感光体上における走査線の搬送方向の位置ずれ周期とディザパターンとの干渉によるモアレが低減できるように算出されたディザパターンの組み合わせであるカラー画像形成装置。
（４）前記（２）に記載のカラー画像形成装置において、
前記ディザパターンの組み合わせの選択は、前記回転多面鏡における鏡面の使用間隔の変更時における前記感光体上における走査線の走査方向の位置ずれ周期とディザパターンとの干渉によるモアレが低減できるように算出されたディザパターンの組み合わせであるカラー画像形成装置。
（５）前記（２）に記載のカラー画像形成装置において、
前記ディザパターンの組み合わせの選択は、ディザパターンの変更による他色ディザとの干渉によるモアレ或いは色むらの発生を低減できるように算出されたディザパターンの組み合わせであるカラー画像形成装置。
【００１８】
【発明の実施の形態】
以下、本発明の実施の形態をカラー画像形成装置の実施例により詳しく説明する。なお、本発明は装置の形に限らず、実施例の説明に裏づけられて方法の形で実施することもできる。
【００１９】
【実施例】
（実施例１）
図１は、実施例１である“カラー画像形成装置”の要部構成を示す斜視図である。本実施例は、４色すなわち、イエロ（以下、Ｙと記す）、マゼンタ（以下、Ｍと記す）、シアン（以下、Ｃと記す）、ブラック（以下、Ｋと記す）の画像形成手段を備えたカラー画像形成装置である。図１において、１ｙ，１ｍ，１ｃ，１ｋは静電潜像を形成する感光体ドラムであり、それぞれＹ，Ｍ，Ｃ，Ｋ用の感光体ドラムである。２０ｙ，２０ｍ，２０ｃ，２０ｋは、画像信号に応じて露光を行い、感光体ドラム１ｙ，１ｍ，１ｃ，１ｋ上に静電潜像を形成するレーザスキャナである。レーザスキャナの構成は後述する。２３は用紙を各色の画像形成部に順次搬送する、転写ベルトを兼ねた無端状の搬送ベルトである。２４は図示しないモータとギア等からなる駆動手段と接続され、搬送ベルト２３を駆動する駆動ローラである。２５は搬送ベルト２３の移動に従って回転し、かつ搬送ベルト２３に一定の張力を付与する従動ローラである。
【００２０】
本実施例の動作について説明する。本実施例は、プロセススピードが変更される毎にディザパターンを選択，変更する例である。
【００２１】
図２は、本実施例で用いる、各色が複数有するディザパターンを示す図である。色毎に最大で２パターンのディザを持っており、パターン図は、６００ｄｐｉ単位の格子でドット形成パターンを示している。このパターンの組み合わせの中で、画質が一番良いのは、（ｉ）のＹＭＣＫディザの組み合わせである。
【００２２】
ホストコンピュータなどからプリントすべきデータがプリンタに送られ、各色が持つディザパターンから画質が一番良いディザパターンの組み合わせを選択し、各々、ハーフトーン処理される。よって、通常、選択されるディザパターンは（ｉ）のディザパターンである。しかし、後述するような周期的な位置ズレと（ｉ）のディザパターンとでモアレが発生し画質が大きく劣化する場合、（ｉ）のディザパターンではなく、後述する所望のディザパターンを選択する。そして、プリンタの方式に応じた階調補正などの画像形成処理が終了し、プリント可能状態となると、図示しない用紙カセットから用紙が供給され、搬送ベルト２３に到達し、搬送ベルト２３により用紙が各色の画像形成部に順次搬送される。搬送ベルト２３による用紙搬送とタイミングを合わせて、各色の画像信号が各レーザスキャナ２０ｙ，２０ｍ，２０ｃ，２０ｋに送られ、感光体ドラム１ｙ，１ｍ，１ｃ，１ｋ上に静電潜像が形成され、図示しない現像器でトナーが現像され、転写部で用紙上に転写される。図１では、Ｙ，Ｍ，Ｃ，Ｋの順に順次画像形成される。その後用紙は搬送ベルト２３から分離され、図示しない定着器で熱によってトナー像が用紙上に定着され、プリンタの外部へ排出される。
【００２３】
図３にスキャナ光学系の概略斜視図を示す。図１と同一のものには、同一の符号を記してある。レーザビーム光源（通常はレーザダイオード）２０１より出射されたレーザビームは、コリメータレンズ２０５によりコリメートされた後、ポリゴンミラー２０３で走査される。走査されたビームは、ｆ−θレンズ２０６で走査速度を補正され、折り返しミラー２０２で反射され、最終的に感光体１上に画像信号に対応した潜像を形成する。感光体１上での画像信号書き込みタイミングを検出するためのビーム検出手段であるセンサ（以下、ＢＤセンサという）２０４から出力された図示しない水平同期信号（以下、ＢＤ信号という）に画像クロックを同期（以下ＢＤ同期という）させる。画像クロックをＢＤ同期させてから、ある時間遅延させ、画像信号の書き込みを開始する。また、ＢＤ信号を用いて、ポリゴンミラーに接続されているモータが規定回転速度で回転するように回転速度制御を行う。
【００２４】
次に、プロセススピードの変更について説明する。
【００２５】
本カラー画像形成装置では、厚紙に印刷するときに、定着性をよくするためにプロセススピードを切り替えられるように構成されている。普通紙では通常速度、厚紙では１／２速に設定される。
【００２６】
１／２速の時には、感光体ドラム１ｙ，１ｍ，１ｃ，１ｋや搬送ベルト２３が通常速度の１／２の速度で回転する。定着器も１／２の速度とすることで、定着性を向上させる。また、ポリゴンミラーの回転数は変更しない。従来例で説明したように、ポリゴンミラー面を１面飛ばしして画像データのライン出力することで、通常の画像を形成できる。
【００２７】
図３の例では、ポリゴンミラー面は８面であり、従来例で示したように、ポリゴンミラー軸のモータ回転軸に対する傾きがあるとした面倒れにより、例えば図１０に示すような搬送方向に対する位置ズレがあると、１／１速では８ライン周期、１／２速では４ライン周期の面倒れ周期を持つ。
【００２８】
図４，図５は、本実施例において、位置ズレがある場合でのディザパターンの画質評価を示す図である。
【００２９】
面倒れ周期とディザパターンとが干渉して発生する、モアレの画像周波数の絶対値をｆｍｏｉｒｅとし、人間の目で目立つ画像周波数をｆｌｉｍｉｔとすると、以下の条件を満たすディザパターンは画質が大きく劣化するとして×を、それ以外の場合では、画質は大きくは劣化しないとして○を付けて画質評価する。
【００３０】
ｆｍｏｉｒｅ＜ｆｌｉｍｉｔ（ただし、画像周波数０を除く）    （式１）
ここで、ｆｌｉｍｉｔは従来例でも説明したように、例えば２．５［ｃｙｃｌｅ／ｍｍ］とする。図４は８ライン周期の位置ズレがある場合で、図５は４ライン周期の位置ズレがある場合のディザパターンの画質評価である。よって、プロセススピードを１／１速とする場合の各色のディザパターンは、図４より、○の付いたディザパターンの中で画質が１番良い組み合わせであるＹ（ｉ）、Ｍ（ｉ）、Ｃ（ｉ）、Ｋ（ｉ）を選択し、１／２速とする場合では、図５よりＹ（ｉ）、Ｍ（ｉ）、Ｃ（ｉ）、Ｋ（ｉｉ）を選択することにより、画質を大きく劣化させることなくプロセススピードを変更することができる。
【００３１】
なお、本実施例で述べた、画質が良いディザパターンの組み合わせとして、図２で示した（ｉ）のディザパターンとした。しかし、画質の良いディザパターンの組み合わせとして、（ｉ）のディザパターンに限定されるものではない。
【００３２】
また、本実施例で述べた、プロセススピードを１／２速に切り替える動作を実現する手段として、ポリゴンミラー面を１面飛ばしして画像データのライン出力をするとした。しかし、マルチビームにおいては、照射するビーム数を半分に間引いて画像データのライン出力をするとしても良い。
【００３３】
また、本実施例で述べた、搬送方向に周期的に位置ズレを起こす例としては、ポリゴンミラー軸のモータ回転軸に対する傾きがあるとした面倒れであった。しかし、例えばポリゴン面の削り誤差による、ポリゴンミラー面のモータ回転軸に対する傾きとした面倒れであっても良いし、マルチビームにおけるビーム間の搬送方向の位置ズレであっても良い。
【００３４】
（実施例２）
実施例１では、プロセススピード変更時におけるディザパターンは、搬送方向の位置ズレ周期とディザパターンとで発生するモアレが低減できるように算出した。
【００３５】
しかし、本実施例の“カラー画像形成装置”では、プロセススピード変更時におけるディザパターンは、走査方向の位置ズレ周期とディザパターンとで発生するモアレが低減できるように算出する。これは、図６に示すように、ポリゴン面の削り誤差により、面に凹凸ができ、走査線幅９にムラができる場合の例である。
【００３６】
例えば、図示のような、凸面，平面，凹面，平面の４面周期で削り誤差がある場合、プロセススピード１／１速では４ライン周期、１／２速では２ライン周期の走査方向の位置ズレを持つ。よって、本実施例における、画質劣化に係るディザパターンは、４ライン周期の位置ズレがある場合の画質評価の図５と、２ライン周期の位置ズレがある場合の画質評価の図７より、プロセススピードを１／１速とする場合の各色のディザパターンは、Ｙ（ｉ），Ｍ（ｉ），Ｃ（ｉ），Ｋ（ｉｉ）を選択し、１／２速とする場合では○の付いたディザパターンの中で画質が１番良い組み合わせであるＹ（ｉ），Ｍ（ｉ），Ｃ（ｉ），Ｋ（ｉ）を選択することにより、画質を大きく劣化させることなくプロセススピードを変更することができる。
【００３７】
なお、本実施例では、周期的に走査方向の位置ズレを起こす原因は、ポリゴンミラー面の削り誤差であった。しかし、例えばＢ．Ｄ信号の遅れによる、周期的な走査方向の位置ズレであっても良いし、マルチビームにおけるビーム間の走査方向の位置ズレであっても、同様に処理することができる。
【００３８】
（実施例３）
実施例１，２では、プロセススピード変更時におけるディザパターンは、色毎で、位置ズレ周期とディザパターンとで発生するモアレが低減できるように算出した。しかし、本実施例の“カラー画像形成装置”では、ディザパターン同士で発生するモアレや色味ムラも考慮して、各色ディザパターンの組み合わせを算出する。
【００３９】
これを、図８を用いて説明する。実施例１，２で、４ライン周期の色ズレがある場合での各色のディザパターンはＹ（ｉ）、Ｍ（ｉ）、Ｃ（ｉ）、Ｋ（ｉｉ）を選択し、ＣとＫで同じディザパターンを選択した（図２，図５参照）。しかし、ＣとＫ間で図８のような、（ｂ），（ｃ）の色ズレが生じた場合、その色ズレに応じて色味が変化する問題がある。また、ＣとＫ間で微小変形，角度ズレ，伸縮などが生じた場合では、同じディザパターンを用いていることから強いモアレが発生することがある。
【００４０】
よって、ディザパターン同士で発生するモアレや色味ムラも考慮して、図５より、４ライン周期の色ズレがある場合の各色ディザパターンの組み合わせは、Ｙ（ｉ）、Ｍ（ｉ）、Ｃ（ｉｉ）、Ｋ（ｉｉ）を選択することにする。
【００４１】
以上説明したように、本実施例によれば、色間のディザパターンの干渉によって画質を劣化させることなくプロセススピードを変更することができる。
【００４２】
【発明の効果】
以上説明したように、本発明によれば、モアレによる画質劣化を発生させることなく、プロセススピードを変更できる。
【図面の簡単な説明】
【図１】  実施例１の要部構成を示す斜視図
【図２】  各色が複数有するディザパターンを示す図
【図３】  スキャナ光学系の概略斜視図
【図４】  ８ライン周期の位置ズレがある場合でのディザパターンの画質評価を示す図
【図５】  ４ライン周期の位置ズレがある場合でのディザパターンの画質評価を示す図
【図６】  実施例２における、面削り精度による周期的に変わる走査線幅の説明図
【図７】  ２ライン周期の位置ズレがある場合でのディザパターンの画質評価を示す図
【図８】  実施例３におけるディザパターン間で色ズレが生じた場合の色味変化の説明図
【図９】  面倒れによる走査線位置ズレの説明図
【図１０】  面倒れ周期の説明図
【図１１】  解像度に対する人間の視覚の応答値を示す図
【図１２】  ８ライン周期の面倒れとディザパターンにより発生するモアレの説明図
【図１３】  ４ライン周期の面倒れとディザパターンにより発生するモアレの説明図
【符号の説明】
１ｙ，１ｍ，１ｃ，１ｋ  感光体
２０ｙ，２０ｍ，２０ｃ，２０ｋ  レーザスキャナ
【図１】
0004261809.tif 000002
【図２】
0004261809.tif 000003
【図３】
0004261809.tif 000004
【図４】
0004261809.tif 000005
【図５】
0004261809.tif 000006
【図６】
0004261809.tif 000007
【図７】
0004261809.tif 000008
【図８】
0004261809.tif 000009
【図９】
0004261809.tif 000010
【図１０】
0004261809.tif 000011
【図１１】
0004261809.tif 000012
【図１２】
0004261809.tif 000013
【図１３】
0004261809.tif 000014